(57)【特許請求の範囲】
【請求項１】
貫通孔が形成された筒状の化粧枠と；
発光素子が実装された光源ユニットと；
内壁の対向する位置間を結ぶ回転軸により前記光源ユニットを回転可能に支持する支持部と、前記化粧枠の貫通孔と面一な内壁を形成し、当該貫通孔の縁上を摺動することで前記光源ユニットと一体となって回動可能な第１環状部と、前記第１環状部の内径よりも大きい内径により形成され、前記化粧枠の外壁の少なくとも一部を環囲する第２環状部とを有する回転リングと；
を具備し、
前記光源ユニットは、
外壁の対向する位置において前記支持部によりに支持される筒状のベース部材を具備し、
前記ベース部材は、
前記化粧枠の貫通孔に向かう方向に開口した第１開口部の縁に第１切欠部が形成される、
照明装置。
【請求項２】
一端が前記化粧枠の外壁に取り付けられ、他端が前記回転リングの前記第２環状部を覆う固定部材；
をさらに具備する請求項１に記載の照明装置。
【請求項３】
前記回転リングは、
前記第２環状部から前記化粧枠の外壁に沿って突起した突起部を有し、
前記化粧枠は、
前記突起部を係止する係止部を外壁に有する、
請求項１又は２に記載の照明装置。
【請求項４】
特定波長の光を選択的に透過させる可撓性を有する可変色フィルタをさらに具備し、
前記ベース部材は、
内壁から内側方向に突き出した第１突出部を有し、
前記可変色フィルタは、
前記第１突出部により形成される第２開口部に挿入可能な大きさに形成され、前記化粧枠の貫通孔から挿入されて前記第２開口部を挿通することで、当該可変色フィルタの外縁部から突き出した第２突出部が前記ベース部材の前記第１突出部に載置される、
請求項１に記載の照明装置。
【発明の詳細な説明】
【技術分野】
【０００１】
本発明の実施形態は、照明装置に関する。
【背景技術】
【０００２】
従来、ＬＥＤ（Light  Emitting  Diode）等の半導体発光素子を光源とする照明装置が用いられている。かかる照明装置には、光源を有した灯具を器具本体の鉛直方向及び水平方向を回転軸に回転自在としたものがある。例えば、反射体の内壁から突き出した複数の突起部を利用して灯具の回転を可能とする照明装置がある。しかし、このような照明装置は、灯具の角度によっては光源からの光が突起部を照明する場合があるので、安定した光を室内等に提供できるとは限らなかった。
【先行技術文献】
【特許文献】
【０００３】
【特許文献１】特開２００５−１４９７９０号公報
【発明の概要】
【発明が解決しようとする課題】
【０００４】
本発明が解決しようとする課題は、回転可能な光源によって安定した照明を行うことができる照明装置を提供することである。
【課題を解決するための手段】
【０００５】
実施形態に係る照明装置は、化粧枠と、光源ユニットと、回転リングとを具備する。化粧枠は、貫通孔が形成された筒状である。光源ユニットは、発光素子が実装される。回転リングは、内壁の対向する位置間を結ぶ回転軸により前記光源ユニットを回転可能に支持する支持部と、前記化粧枠の貫通孔と面一な内壁を形成し、当該貫通孔の縁上を摺動することで前記光源ユニットと一体となって回動可能な第１環状部と、前記第１環状部の内径よりも大きい内径により形成され、前記化粧枠の外壁の少なくとも一部を環囲する第２環状部とを有する。
【図面の簡単な説明】
【０００６】
【図１】図１は、実施形態に係る照明装置の外観例を示す斜視図である。
【図２】図２は、実施形態に係る照明装置の外観例を示す斜視図である。
【図３】図３は、実施形態に係る照明装置の外観例を示す斜視図である。
【図４】図４は、実施形態に係る照明装置の外観例を示す斜視図である。
【図５】図５は、実施形態に係る照明装置の外観例を示す斜視図である。
【図６】図６は、実施形態に係る光源ユニットの分解例を示す斜視図である。
【図７】図７は、実施形態に係る照明装置の分解例を示す斜視図である。
【図８】図８は、実施形態に係る回転リングの外観例を示す拡大斜視図である。
【図９】図９は、実施形態に係る照明装置の分解例を示す斜視図である。
【図１０】図１０は、実施形態に係る回転リング及び化粧枠の外観例を示す拡大斜視図である。
【図１１】図１１は、実施形態に係るベース部材に形成された突起部の拡大図である。
【図１２】図１２は、実施形態に係る回転リング及び化粧枠の断面を模式的に示す図である。
【図１３】図１３は、実施形態に係るベース部材の外観例を示す拡大斜視図である。
【図１４】図１４は、実施形態に係る可変色フィルタの外観例を示す拡大斜視図である。
【図１５】図１５は、実施形態に係る可変色フィルタの外観例を示す拡大斜視図である。
【図１６】図１６は、可変色フィルタが装着されたベース部材の外観例を示す拡大斜視図である。
【図１７】図１７は、図１６に示したＩ−Ｉ線における断面を模式的に示す図である。
【図１８】図１８は、図１６に示したＩＩ−ＩＩ線における断面を模式的に示す図である。
【発明を実施するための形態】
【０００７】
以下で説明する実施形態に係る照明装置１において、筒状の化粧枠３００は、貫通孔３００ａが形成される。また、光源ユニット１００は、発光素子が実装される。また、回転リング２００は、内壁の対向する位置間を結ぶ回転軸により光源ユニット１００を回転可能に支持する支持部２２１ａ及び２２１ｂと、化粧枠３００の貫通孔３００ａと面一な内壁を形成し、貫通孔３００ａの縁３２０上を摺動することで光源ユニット１００と一体となって回動可能な第１環状部２６１と、第１環状部２６１の内径よりも大きい内径により形成され、化粧枠３００の外壁３０１の少なくとも一部を環囲する第２環状部２６２とを有する。
【０００８】
また、以下で説明する実施形態において、固定金具４１１、４１２及び４１３は、一端が化粧枠３００の外壁３０１に取り付けられ、他端が回転リング２００の第２環状部２６２を覆う。
【０００９】
また、以下で説明する実施形態において、回転リング２００は、第２環状部２６２から化粧枠３００の外壁３０１に沿って突起した突起部２７０を有する。また、化粧枠３００は、突起部２７０を係止する係止部３５２を外壁３０１に有する。
【００１０】
また、以下で説明する実施形態において、光源ユニット１００は、外壁の対向する位置において支持部２２１ａ及び２２１ｂによりに支持される筒状のベース部材１２０を具備する。また、ベース部材１２０は、化粧枠３００の貫通孔３００ａに向かう方向に開口した下端開口部の縁に切欠部１２８ａ及び１２８ｂが形成される。
【００１１】
また、以下で説明する実施形態において、ベース部材１２０は、２個の切欠部１２８ａ及び１２８ｂが形成され、２個の切欠部１２８ａ及び１２８ｂを結ぶ直線と回転軸とが略直角である。
【００１２】
また、以下で説明する実施形態において、可撓性を有する可変色フィルタ１６０は、特定波長の光を選択的に透過させる。また、ベース部材１２０は、内壁から内側方向に突き出した突出部１２４を有する。また、可変色フィルタ１６０は、突出部１２４により形成される開口部に挿入可能な大きさに形成され、化粧枠３００の貫通孔３００ａから挿入されて突出部１２４の開口部を挿通することで、外縁部から突き出した突出部１６１ａ及び１６１ｂがベース部材１２０の突出部１２４に載置される。
【００１３】
また、以下で説明する実施形態において、ベース部材１２０は、可変色フィルタ１６０の突出部１６１ａ及び１６１ｂが載置される突出部１２４の載置面に、突出部１６１ａ及び１６１ｂを係止する切欠部１２５ａ及び１２５ｂが形成される。
【００１４】
また、以下で説明する実施形態において、可変色フィルタ１６０は、周縁部の一部が欠けている切欠部１６２ａ及び１６２ｂが形成される。
【００１５】
また、以下で説明する実施形態において、ベース部材１２０は、突出部１２４に載置された可変色フィルタ１６０の切欠部１６２ａ及び１６２ｂとの間に隙間を形成する。
【００１６】
また、以下で説明する実施形態において、ベース部材１２０は、切欠部１６２ａ及び１６２ｂとの間に隙間を形成するように、突出部１２４における載置面の裏面が斜面である。
【００１７】
また、以下で説明する実施形態において、ベース部材１２０は、突出部１２４における載置面の裏面のうち、切欠部１２８ａ及び１２８ｂの近傍に平坦部１２９ａ及び１２９ｂが形成される。
【００１８】
また、以下で説明する実施形態において、回転リング２００は、回転可能な光源ユニット１００の少なくも一部を覆うカバー２１０を有する。
【００１９】
また、以下で説明する実施形態において、カバー２１０は、回転した光源ユニット１００と第１環状部２６１との間に形成される隙間を覆う。
【００２０】
また、以下で説明する実施形態において、光源ユニット１００は、ベース部材１２０との間で発光素子が実装された基板１４０を挟んだ状態でベース部材１２０に固設さえる基材１１１を有する。また、基材１１１には、光源ユニット１００から発生する熱を放熱する放熱部材を有する。
【００２１】
以下、図面を参照して、実施形態に係る照明装置を説明する。実施形態において同一の部位には同一の符号を付し、重複する説明は省略される。
【００２２】
（照明装置の外観例）
図１及び図２は、実施形態に係る照明装置１の外観例を示す斜視図である。図１では、照明装置１を斜め上方向から見た例を示し、図２では、照明装置１を斜め下方向から見た例を示す。
【００２３】
図１及び図２に示した照明装置１は、例えば、屋内の天井に埋め込み設置されるダウンライト型の照明器具であり、内部に実装されたＬＥＤ等の発光素子を発光させることにより、図１及び図２に示した下方向に位置する室内等を照明する。かかる照明装置１は、光源ユニット１００と、回転リング２００と、化粧枠３００とを具備する。
【００２４】
光源ユニット１００は、熱伝導性の高い金属製であり、例えばアルミダイカストにより成型される。かかる光源ユニット１００は、後に図６等を用いて説明するが、固定ネジ等により放熱器１１０がベース部材１２０に固定されることで形成される。また、光源ユニット１００は、ＬＥＤ等の発光素子が実装された基板を内部に具備する。かかる基板は、放熱器１１０及びベース部材１２０によって挟持され、図１及び図２に示した下方向に発光する。
【００２５】
放熱器１１０は、図１に示すように、図１に示した上方向に立設された平面部材である複数の放熱フィンを具備し、光源ユニット１００内部の基板から発生する熱を外部に放出する。これにより、放熱器１１０は、照明装置１の温度上昇を抑制することができる。
【００２６】
ベース部材１２０は、上記の通り放熱器１１０が固定される。また、ベース部材１２０は、外壁１２０ａに、かかる外壁１２０ａから突起した円柱形状の突起部１２１ａ及び１２１ｂを有する（図６を参照）。これらの突起部１２１ａ及び１２１ｂは、互いに対向する位置に形成される。
【００２７】
回転リング２００は、金属製であり、例えばアルミダイカストにより成型される。かかる回転リング２００は、上下両端がそれぞれ略円形に開口された円筒形状に形成され、光源ユニット１００の一部を覆うカバー２１０を有する（図８を参照）。また、回転リング２００は、図１及び図２に示すように、それぞれ対向する位置に支持部２２１ａ及び２２１ｂを有する（図８を参照）。
【００２８】
なお、詳細については後述するが、上述したベース部材１２０の突起部１２１ａは、回転リング２００の支持部２２１ａに回転可能に支持され、ベース部材１２０の突起部１２１ｂは、回転リング２００の支持部２２１ｂに回転可能に支持される。これにより、光源ユニット１００は、突起部１２１ａと突起部１２１ｂとを結ぶ直線を回転軸として回転（傾動）することが可能となる。
【００２９】
化粧枠３００は、例えばＡＢＳ樹脂等の合成樹脂製であり、上下両端がそれぞれ略円形に開口された円筒形状である。具体的には、化粧枠３００には、図２（図７も参照）に示すように、貫通孔３００ａが形成される。かかる化粧枠３００は、光源ユニット１００が具備する発光素子により発光される光の配光を調整する。具体的には、図２に示すように、光源ユニット１００の発光面１００ａから照射される光は、化粧枠３００の貫通孔３００ａを通過するので、化粧枠３００の円筒形状により照射方向が調整される。
【００３０】
なお、詳細については後述するが、化粧枠３００は、回転リング２００が載置された状態で、固定金具４１１及び４１２が取り付けられ、また、図１では図示しない固定金具（固定金具４１３とする）が取り付けられる。かかる回転リング２００は、化粧枠３００上を摺動することにより、光源ユニット１００と一体となって化粧枠３００上を回動することが可能となる。
【００３１】
また、化粧枠３００は、外壁３０１の下端部から外向きに突出した環状フランジ３１０を有する。また、化粧枠３００は、天板１１及び取付けバネ１２ａ〜１２ｃが外壁３０１に取り付けられる。
【００３２】
天板１１は、図示しない端子台が取り付けられる。かかる端子台は、接続線（ハーネス）を介して、図示しない商用交流電源と接続される。また、端子台は、接続線を介して、光源ユニット１００の内部に具備された基板と接続される。これにより、端子台は、商用交流電源からの電力供給を基板に中継する。
【００３３】
取付けバネ１２ａ〜１２ｃは、金属板の弾性部材であり、化粧枠３００の外壁３０１に取り付けられた状態で外部から上方向に押圧されることにより、化粧枠３００の外壁３０１と略平行となる位置まで折れ曲がることが可能である。照明装置１は、天井に埋め込み設置される場合に、取付けバネ１２ａ〜１２ｃが化粧枠３００の外壁３０１と略平行となる位置まで折り曲げられた状態で天井壁の埋め込み孔に挿入され、環状フランジ３１０が天井に接触するまで押し上げられる。そして、取付けバネ１２ａ〜１２ｃは、外部から押圧されなくなることで図１に示した状態に復元し、環状フランジ３１０との間で天井壁を挟持する。これにより、照明装置１は、天井に埋め込み設置される。
【００３４】
上記の通り、実施形態に係る照明装置１では、光源ユニット１００が、突起部１２１ａと突起部１２１ｂとを結ぶ直線を回転軸として傾動可能である。この点について、図３及び図４を用いて説明する。図３及び図４は、実施形態に係る照明装置１の外観例を示す斜視図である。図３では、光源ユニット１００が傾けられた状態の照明装置１を斜め上方向から見た例を示し、図４では、図３の照明装置１を斜め下方向から見た例を示す。
【００３５】
図３に示した照明装置１は、図１に示した照明装置１と比較して、光源ユニット１００が傾いている。具体的には、図１に示した照明装置１では、放熱器１１０に形成された放熱フィンの立設方向と、環状フランジ３１０（すなわち、天井）とが略垂直（略９０°）の関係にある。一方、図３に示した照明装置１では、放熱フィンの立設方向と環状フランジ３１０とが略垂直（略９０°）でなく、光源ユニット１００の上部がカバー２１０から離れる方向に傾動している。
【００３６】
ここで、図３のように光源ユニット１００が傾動した場合、図４に示すように、光源ユニット１００の発光面１００ａは、図２に示した状態から傾くこととなる。具体的には、図２に示した例では、発光面１００ａが環状フランジ３１０と略平行であるが、図４に示した例では、発光面１００ａが環状フランジ３１０と略平行ではなく、図２に示した状態よりも発光面１００ａと環状フランジ３１０とのなす角度が大きくなっている。すなわち、光源ユニット１００は、図２に示した状態と図４に示した状態とでは、異なる方向に光を照射することとなる。このように、実施形態に係る照明装置１では、光源ユニット１００が傾動可能であるので、光の照射方向を変更することができる。
【００３７】
なお、詳細については後述するが、実施形態に係る照明装置１では、作業者が、化粧枠３００の貫通孔３００ａから手を挿入して光源ユニット１００を押圧することにより、光源ユニット１００を図１に示した位置から図３に示した位置まで傾動させることができる。同様に、操作者は、光源ユニット１００を押圧することにより、光源ユニット１００を図３に示した位置から図１に示した位置まで傾動させることもでき、光源ユニット１００を図１に示した位置と図３に示した位置との間の位置に傾動させることもできる。
【００３８】
また、上記の通り、実施形態に係る照明装置１では、回転リング２００が、光源ユニット１００と一体となって化粧枠３００上を摺動可能である。この点について、図５を用いて説明する。図５は、実施形態に係る照明装置１の外観例を示す斜視図である。図５では、図３の状態から回転リング２００が摺動した状態の照明装置１を斜め上方向から見た例を示す。
【００３９】
図５に示した照明装置１では、図３に示した照明装置１と比較して、回転リング２００が光源ユニット１００と一体となって化粧枠３００上を摺動している。具体的には、図３に示した照明装置１では、回転リング２００の支持部２２１ａが、化粧枠３００に設けられた取付けバネ１２ａよりも右側に位置する。一方、図５に示した照明装置１では、支持部２２１ａが取付けバネ１２ａよりも左側に位置する。
【００４０】
ここで、図５のように回転リング２００が摺動した場合、光源ユニット１００が回転するので発光面１００ａも回転することとなる。すなわち、回転リング２００が摺動した場合、光源ユニット１００による光の照射方向が変わる。このように、実施形態に係る照明装置１は、回転リング２００が光源ユニット１００と一体となって回転可能であるので、光の照射方向を変更することができる。
【００４１】
なお、詳細については後述するが、実施形態に係る照明装置１では、操作者が、化粧枠３００の貫通孔３００ａから手を挿入して光源ユニット１００を押圧することにより、光源ユニット１００を回転リング２００とともに回転させることができる。
【００４２】
（光源ユニットの分解例）
次に、図６を用いて、実施形態に係る光源ユニット１００の分解例について説明する。図６は、実施形態に係る光源ユニット１００の分解例を示す斜視図である。図６に示すように、光源ユニット１００は、放熱器１１０と、ベース部材１２０と、放熱シート１３０と、基板１４０と、光学レンズ１５０と、可変色フィルタ１６０とを具備する。
【００４３】
図６に示すように、放熱器１１０は、略円形状の基材１１１に複数の放熱フィンが立設されており、基板１４０から発生する熱を照明装置１の外部に放出する。また、図６に示すように、基材１１１には、放熱器１１０がベース部材１２０に固定される際に固定ネジが貫通するネジ通孔１１１ａ及び１１１ｂが形成される。なお、図示することを省略するが、基材１１１には、ネジ通孔１１１ａ及び１１１ｂと同様のネジ通孔（ネジ通孔１１１ｃとする）が形成される。これらのネジ通孔１１１ａ〜１１１ｃは、基材１１１の周縁部に略等間隔で形成される。また、基材１１１には、基板１４０と端子台とを接続する接続線が挿通するハーネス通孔１１２が形成される。
【００４４】
ベース部材１２０は、上下両端がそれぞれ略円形に開口された円筒形状に形成される。また、ベース部材１２０は、外壁１２０ａから外向きに突起した円柱形状の突起部１２１ａ及び１２１ｂを有する。かかる突起部１２１ａには、円柱形状の孔である軸孔１２２ａが形成され、同様に、突起部１２１ｂにも円柱形状の軸孔（軸孔１２２ｂとする）が形成される。
【００４５】
また、ベース部材１２０の上端開口部の縁には、放熱器１１０が固定される際に固定ネジがねじ込まれるネジ穴１２３ａ〜１２３ｃが形成される。また、ベース部材１２０の内壁１２０ｂには、内側方向に突き出した突出部１２４が形成される。かかる突出部１２４は、光学レンズ１５０を支持する。また、突出部１２４には、後述する可変色フィルタ１６０を固定するための切欠部１２５ａ及び１２５ｂが形成される。
【００４６】
放熱シート１３０は、熱伝導性の高い合成樹脂製であり、放熱器１１０の下面（基材１１１の下面）に設置可能な大きさの平面形状に形成される。かかる放熱シート１３０は、放熱器１１０の下面と基板１４０との双方と密に面接触することで、基板１４０を放熱器１１０に密着させる。
【００４７】
基板１４０は、図示しない発光素子が実装される第１面１４０ａと、放熱シート１３０を介して放熱器１１０の下面に設置される第２面１４０ｂとを有する。基板１４０には、ハーネス通孔１１２を挿通する接続線の一端が接続される。また、かかる接続線の他端は端子台と接続される。これにより、基板１４０は、端子台を介して商用交流電源から供給される電力によって発光素子を発光させることで室内等に光を提供する。
【００４８】
ここで、基板１４０は、点灯時の発光素子が発熱するので、温度上昇する可能性がある。しかし、基板１４０から発生する熱は、放熱シート１３０を介して熱伝導性の高い金属である放熱器１１０に伝導させられ、放熱器１１０を介して大気中に放出される。
【００４９】
また、実施形態に係る基板１４０は、ＳＭＤ（Surface  Mount  Device）形で構成されているものとし、複数の発光素子が第１面１４０ａに実装される。ただし、基板１４０は、ＳＭＤ形に限られず、マトリックス状や千鳥状や放射状など規則的に一定の順序をもって第１面１４０ａの一部又は全体に複数の発光素子が配列されて実装されたＣＯＢ（Chip  on  Board）形であってもよい。
【００５０】
光学レンズ１５０は、基板１４０に実装された発光素子からの光を発散又は集束させる。光学レンズ１５０は、発光素子毎に、レンズ１５１を有する。なお、図６では、１個のレンズに符号１５１を付したが、光学レンズ１５０に形成されている円錐台形状の各部材はレンズ１５１に該当する。
【００５１】
実施形態に係る光源ユニット１００では、放熱シート１３０を介して基板１４０が密着させられた放熱器１１０と、突出部１２４に光学レンズ１５０が載置されたベース部材１２０とが固定ネジ等により固定される。具体的には、図示しない各固定ネジが、ネジ通孔１１１ａを貫通してネジ穴１２３ａにねじ込まれる。同様に、図示しない各固定ネジが、ネジ通孔１１１ｂを貫通してネジ穴１２３ｂにねじ込まれ、また、図示しない各固定ネジが、ネジ通孔１１１ｃを貫通してネジ穴１２３ｃにねじ込まれる。これにより、放熱器１１０及びベース部材１２０は、放熱シート１３０、基板１４０及び光学レンズ１５０を挟持した状態で固定される。
【００５２】
可変色フィルタ１６０は、光学レンズ１５０により発散又は集束された光のうち、特定波長の光を選択的に透過させることで光の色を変化させるカラーフィルタである。かかる可変色フィルタ１６０は、可撓性を有する部材によって略円形状に形成される。また、可変色フィルタ１６０は、撓んだ状態である場合に、ベース部材１２０の突出部１２４により形成される開口部に挿通可能な大きさに形成される。また、可変色フィルタ１６０は、外縁部から突き出した突出部１６１ａ及び１６１ｂを有する。
【００５３】
このような可変色フィルタ１６０は、例えば、突出部１６１ａと突出部１６１ｂとが互いに近づく方向に撓まされた状態で、図６に示した下からベース部材１２０の突出部１２４により形成される開口部を挿通する。その後に、可変色フィルタ１６０が元の状態（図６に示した状態）に戻された場合に、突出部１６１ａがベース部材１２０の切欠部１２５ａに載置され、突出部１６１ｂが切欠部１２５ｂに載置される。このようにして、可変色フィルタ１６０は、ベース部材１２０の下方からベース部材１２０の内部に取り付けられる。
【００５４】
（照明装置の分解例）
次に、図７〜図９を用いて、実施形態に係る照明装置１の分解例について説明する。図７及び図９は、実施形態に係る照明装置１の分解例を示す斜視図である。図８は、実施形態に係る回転リング２００の外観例を示す拡大斜視図である。なお、以下では、天板１１及び取付けバネ１２ａ〜１２ｃについては説明を省略する。
【００５５】
まず、光源ユニット１００が回転リング２００に固定される点について説明する。図７及び図８に示すように、回転リング２００の支持部２２１ａには、軸孔２３１ａが形成される。また、回転リング２００は、支持部２２１ａから内側方向（支持部２２１ｂに近づく方向）に突き出した載置部２４１ａを有する（図１０を参照）。同様に、図７及び図８に示すように、回転リング２００は、支持部２２１ｂに軸孔２３１ｂが形成され、支持部２２１ｂから内側方向（支持部２２１ａに近づく方向）に突き出した載置部２４１ｂを有する。
【００５６】
そして、光源ユニット１００の突起部１２１ａが載置部２４１ａに載置されるとともに、突起部１２１ｂが載置部２４１ｂに載置される。そして、図示しない円柱形上の軸部材が、支持部２２１ａの軸孔２３１ａ及び突起部１２１ａの軸孔１２２ａに挿入され、同様に、図示しない円柱形上の軸部材が、軸孔２３１ｂ及び軸孔１２２ｂに挿入される。これにより、光源ユニット１００は、突起部１２１ａと突起部１２１ｂとを結ぶ直線を回転軸として回転自在（傾動自在）に、回転リング２００に支持される。
【００５７】
続いて、回転リング２００が化粧枠３００に固定される点について説明する。図８に示すように、回転リング２００は、上端から下端に向かう方向に開口面が段階的に大きくなるように、かかる開口面と略平行である段部面２５０によって段差が形成される。
【００５８】
具体的には、回転リング２００は、第１環状部２６１と、第２環状部２６２とを有する。第１環状部２６１は、化粧枠３００における貫通孔３００ａの縁３２０上を摺動することで、回転リング２００と一体となって回動可能である。すなわち、第１環状部２６１の縁である段部面２５０は、化粧枠３００における貫通孔３００ａの縁３２０に載置された状態で、かかる縁３２０上を摺動する。
【００５９】
ここで、第１環状部２６１の段部面２５０における内径Ｌ１１（図８を参照）と、化粧枠３００の縁３２０における内径Ｌ１２（図７を参照）とが略同一のサイズとなるように、回転リング２００及び化粧枠３００が形成される。これにより、第１環状部２６１は、段部面２５０が化粧枠３００の縁３２０に載置された際に、化粧枠３００における貫通孔３００ａと面一な内壁を形成する。
【００６０】
第２環状部２６２は、第１環状部２６１の内径Ｌ１１よりも大きい内径Ｌ１３により形成され、化粧枠３００の外壁３０１の少なくとも一部を環囲する（図１０を参照）。そして、回転リング２００の外壁には、第１環状部２６１と第２環状部２６２との段差に該当する段部面２６０（図１０を参照）が形成される。
【００６１】
また、図９に示すように、化粧枠３００は、固定金具４１１が取り付けられる金具取付け部３３１と、固定金具４１２が取り付けられる金具取付け部３３２とを有する。また、図示することを省略するが、化粧枠３００は、固定金具４１３が取り付けられる金具取付け部（金具取付け部３３３とする）を有する。これらの金具取付け部３３１〜３３３は、化粧枠３００の外壁３０１に略等間隔で形成される。
【００６２】
また、図９に示すように、金具取付け部３３１には、固定金具４１１が固定される際に固定ネジがねじ込まれるネジ穴３４１が形成される。同様に、金具取付け部３３２には、ネジ穴３４２が形成される。また、図示することを省略するが金具取付け部３３３にもネジ穴が形成される。
【００６３】
また、図９に示すように、固定金具４１１は、上部が略直角に折れ曲がった鉤形状に形成され、上板４２１を有する。また、固定金具４１１には、ネジ通孔４３１が形成される。同様に、固定金具４１２は、上板４２２を有し、ネジ通孔４３２が形成される。また、図示しない固定金具４１３についても同様に、上板を有し、ネジ通孔が形成される。
【００６４】
そして、実施形態に係る光源ユニット１００では、図９に示すように、回転リング２００の段部面２５０が化粧枠３００の縁３２０に載置された状態で、固定金具４１１〜４１３が金具取付け部３３１〜３３３に固定される。具体的には、図示しない固定ネジが、ネジ通孔４３１を貫通して金具取付け部３３１のネジ穴３４１にねじ込まれる。これにより、固定金具４１１は、金具取付け部３３１に固定される。同様にして、固定金具４１２は金具取付け部３３２に固定され、固定金具４１３は金具取付け部３３３に固定される。
【００６５】
このように、固定金具４１１〜４１３は、一端が化粧枠３００の外壁３０１に取り付けられ、他端が回転リング２００の第２環状部２６２を覆う。このとき、固定金具４１１の上板４２１（固定金具４１２及び４１３の上板も同様）は、回転リング２００の段部面２６０を下方向（化粧枠３００に近づく方向）に押圧せずに、回転リング２００における段部面２６０の上方に位置するか、又は、段部面２６０に接触する。これにより、固定金具４１１〜４１３は、回転リング２００が上下方向に移動することを抑制することができ、さらに、化粧枠３００における貫通孔３００ａの縁３２０上で回転リング２００を摺動可能に固定することができる。
【００６６】
以上のように、実施形態に係る照明装置１では、回転リング２００が化粧枠３００に載置された際に、第１環状部２６１が化粧枠３００の貫通孔３００ａと面一な内壁を形成する。このため、実施形態に係る照明装置１では、光源ユニット１００の照射領域に突起部等が形成されないので、回転可能な光源ユニット１００により安定した照明を行うことができる。例えば、光源ユニット１００の照射領域に突起部等が形成されていると、室内等に影ができることも考えられるが、実施形態に係る照明装置１では、影をつくることなく室内等を照明することができる。また、化粧枠３００は直視される可能性もあるので、化粧枠３００の内壁に突起部が形成されていると照明装置自体の美観が損なわれる。しかし、実施形態に係る照明装置１では、化粧枠３００の内壁に突起部が形成されないので、美観が損なわれず、意匠性を向上させることができる。
【００６７】
（光源ユニットの可動範囲）
次に、図１０及び図１１を用いて、実施形態に係る光源ユニット１００の可動範囲について説明する。図１０は、実施形態に係る回転リング２００及び化粧枠３００の外観例を示す拡大斜視図である。図１０では、図９に示した状態と比較して、回転リング２００が左方向（時計方向）に摺動した状態を示す。図１１は、実施形態に係るベース部材１２０に形成された突起部１２１ａの拡大図である。
【００６８】
まず、光源ユニット１００の傾動範囲について説明する。図１０に示すように、回転リング２００の載置部２４１ａは、係止面２４２ａ及び２４３ａを有する。また、回転リング２００の載置部２４１ｂは、係止面２４２ａと同様の係止面２４２ｂを有し、また、図１０では図示しないが、係止面２４３ａと同様の係止面を有する。
【００６９】
また、図１１に示すように、ベース部材１２０の突起部１２１ａは、回転リング２００の係止面２４２ａに係止される係止部１２６ａと、回転リング２００の係止面２４３ａに係止される係止部１２７ａとを有する。
【００７０】
上記の通り、光源ユニット１００が回転リング２００に固定される場合、ベース部材１２０の突起部１２１ａは、回転リング２００の載置部２４１ａに載置され、ベース部材１２０の突起部１２１ｂは、回転リング２００の載置部２４１ｂに載置される。このような光源ユニット１００の傾動範囲は、係止部１２６ａ及び１２７ａによって決定される。
【００７１】
具体的には、ベース部材１２０の係止部１２６ａは、回転リング２００の係止面２４２ａに係止されることで、光源ユニット１００がカバー２１０に近づく方向に傾動可能な位置を決定する。例えば、係止部１２６ａは、係止面２４２ａに係止されることで、光源ユニット１００が図１に示した状態よりもカバー２１０が形成されている方向に傾動させない。
【００７２】
また、係止部１２７ａは、回転リング２００の係止面２４３ａに係止されることで、光源ユニット１００がカバー２１０から離れる方向に傾動可能な位置を決定する。例えば、係止部１２７ａは、係止面２４３ａに係止されることで、光源ユニット１００が図３に示した状態よりもカバー２１０が形成されていない方向に傾動させない。
【００７３】
続いて、回転リング２００の摺動範囲について説明する。図１０に示すように、化粧枠３００は、金具取付け部３３２の上部に係止部３５２を有する。ここで、化粧枠３００は、金具取付け部３３２以外の他の金具取付け部（金具取付け部３３１や、図１０に図示しない金具取付け部３３３）の上部には、係止部３５２を有しない。また、図１０に示すように、回転リング２００は、第２環状部２６２の縁から化粧枠３００の外壁３０１に沿って突起した突起部２７０を有する。
【００７４】
このような機構の下、回転リング２００の摺動範囲は、回転リング２００の突起部２７０と、化粧枠３００の係止部３５２によって決定される。具体的には、回転リング２００の突起部２７０は、化粧枠３００の係止部３５２に係止されることで、回転リング２００の摺動範囲を決定する。例えば、図１０に示した例において、回転リング２００が時計方向に摺動され、突起部２７０が係止部３５２に係止された場合、回転リング２００は、時計方向に摺動不可能となる。また、回転リング２００が反時計方向に摺動された場合であっても、突起部２７０が係止部３５２に係止された場合、回転リング２００は反時計方向に摺動不可能となる。すなわち、回転リング２００は、１回転（３６０°）以上摺動することがない。
【００７５】
ここで、上記の通り、回転リング２００に取り付けられる光源ユニット１００内の基板１４０は、ハーネス通孔１１２を挿通する接続線を介して、天板１１に取り付けられる端子台と接続される。このため、光源ユニット１００が回転リング２００の摺動に伴って自由に回転可能であると、かかる接続線がねじれたり放熱器１１０等に絡まったりすることが考えられる。しかし、実施形態に係る照明装置１では、回転リング２００が、化粧枠３００上を１回転（３６０°）以上摺動することがないので、基板１４０と端子台とを接続する接続線がねじれたり放熱器１１０等に絡まったりすることを防止することができる。
【００７６】
（回転リング及び化粧枠の断面例）
次に、実施形態に係る回転リング２００及び化粧枠３００の断面について説明する。図１２は、実施形態に係る回転リング２００及び化粧枠３００の断面を模式的に示す図である。なお、図１２では、図３に示した固定金具４１２の位置と、回転リング２００の中心点とを結ぶ線における回転リング２００及び化粧枠３００の断面を示す。
【００７７】
図１２に示すように、化粧枠３００と回転リング２００の第１環状部２６１とは、段差のない滑らかな内壁を形成している。また、回転リング２００の第２環状部２６２は、化粧枠３００の外壁３０１の上端部を環囲する。これにより、第２環状部２６２は、回転リング２００と化粧枠３００とが横方向（摺動方向）にずれることを防止できる。
【００７８】
また、図１２に示すように、回転リング２００は、段部面２５０及び２６０によって、上端から下端に向かう方向に開口面が段階的に大きくなるように形成されている。そして、金具取付け部３３２に取り付けられた固定金具４１２の上板４２２は、回転リング２００の段部面２６０の上方に位置する。なお、上板４２２は、下方向に押圧しない程度に段部面２６０に当接してもよい。同様に、固定金具４１１及び４１３の上板についても、回転リング２００の段部面２６０の上方に位置する。これにより、固定金具４１１〜４１３は、回転リング２００と化粧枠３００とが上下方向（摺動面に対する垂直方向）に外れることを防止できる。
【００７９】
また、回転リング２００には、支持部２２１ａ及び２２１ｂよりも上方向の延伸し、かつ、支持部２２１ａ及び２２１ｂに近づく方向に延伸したカバー２１０が形成される。このようなカバー２１０は、図１２に示すように、カバー２１０から最も離れる方向に傾動した光源ユニット１００と回転リング２００との間に形成される隙間Ｒ１１を覆う形状に形成される。言い換えれば、カバー２１０は、光源ユニット１００の係止部１２７ａが回転リング２００の係止面２４３ａに係止されるまで傾動した状態における光源ユニット１００の少なくとも一端を覆う形状に形成される。これにより、カバー２１０は、光源ユニット１００の傾動時に形成させる隙間Ｒ１１を覆うことができるので、隙間Ｒ１１から室内等に埃などのゴミが落下することを防止できる。
【００８０】
（傾動支援機構）
次に、光源ユニット１００の傾動支援機構について説明する。図１３は、実施形態に係るベース部材１２０の外観例を示す拡大斜視図である。図１３では、図６に示したベース部材１２０を斜め下方向から見た例を示す。
【００８１】
図１３に示すように、ベース部材１２０は、円筒形状に形成され、内壁１２０ｂから内側方向に突き出した突出部１２４を有する。そして、ベース部材１２０は、下端開口部の縁（貫通孔３００ａ方向に延伸した側壁の縁）には、切欠部１２８ａ及び１２８ｂが形成される。切欠部１２８ａ及び１２８ｂは、下端開口部の縁が滑らかな曲線を描くように切り欠けられることで形成される。また、切欠部１２８ａ及び１２８ｂは、互いに対向する位置、かつ、切欠部１２８ａ及び１２８ｂを結ぶ直線と突起部１２１ａ及び１２１ｂを結ぶ直線とが略直角となる位置に形成される。
【００８２】
また、図１３に示すように、突出部１２４の裏面１２４ａは、突出部１２４の内壁１２４ｂからベース部材１２０の内壁１２０ｂに向かうほど開口部が次第に大きくなるように形成される。そして、ベース部材１２０は、かかる突出部１２４の裏面１２４ａに、ベース部材１２０の開口面と略平行な平坦部１２９ａ及び１２９ｂを有する。かかる平坦部１２９ａは、切欠部１２８ａの近傍に形成され、平坦部１２９ｂは、切欠部１２８ｂの近傍に形成される。
【００８３】
このようなベース部材１２０は、作業者による光源ユニット１００の傾動操作及び回動操作を容易にする。具体的には、作業者は、化粧枠３００の下方から貫通孔３００ａに手を入れ、切欠部１２８ａ及び１２８ｂに指を置くことができる。また、上記の通り、突出部１２４の裏面１２４ａが傾斜になっているが、切欠部１２８ａ及び１２８ｂの近傍に平坦部１２９ａ及び１２９ｂが形成されているので、作業者は、安定した状態で切欠部１２８ａ及び１２８ｂに指を置くことができる。これにより、作業者は、光源ユニット１００を容易に傾動及び回動させることができる。例えば、作業者は、切欠部１２８ａ及び１２８ｂに指を置いた状態で、平坦部１２９ａ及び１２９ｂのいずれか一方を押圧することで、光源ユニット１００を容易に傾動させることができる。また、例えば、作業者は、切欠部１２８ａ及び１２８ｂに指を置いた状態で、切欠部１２８ａ及び１２８ｂの側壁を押圧することで、光源ユニット１００を容易に回動させることができる。
【００８４】
（可変色フィルタの着脱機構）
次に、図１４〜図１８を用いて、可変色フィルタ１６０の着脱機構について説明する。図１４及び図１５は、実施形態に係る可変色フィルタ１６０の外観例を示す拡大斜視図である。図１４では、図６に示した可変色フィルタ１６０を斜め下方向から見た例を示し、図１５では、図６に示した可変色フィルタ１６０を斜め上方向から見た例を示す。また、図１６は、可変色フィルタ１６０が装着されたベース部材１２０の外観例を示す拡大斜視図である。図１６では、図６に示したベース部材１２０を斜め上方向から見た例を示す。また、図１７は、図１６に示したＩ−Ｉ線における断面を模式的に示す図である。また、図１８は、図１６に示したＩＩ−ＩＩ線における断面を模式的に示す図である。
【００８５】
図１４に示すように、可変色フィルタ１６０は、側壁に突出部１６１ａ及び１６１ｂを有する。また、図１５に示すように、可変色フィルタ１６０の上面には、切欠部１６２ａ及び１６２ｂが形成される。なお、ここでいう可変色フィルタ１６０の上面とは、可変色フィルタ１６０が照明装置１に装着された際に、光学レンズ１５０と対向する面を示す。
【００８６】
上記の通り、このような可変色フィルタ１６０は、化粧枠３００の下方から挿入されベース部材１２０に装着される。図１６及び図１７に示すように、可変色フィルタ１６０は、ベース部材１２０に取り付けられた場合に、突出部１６１ａがベース部材１２０の切欠部１２５ａに載置され、突出部１６１ｂが切欠部１２５ｂに載置される。
【００８７】
また、図１８に示すように、突出部１２４の裏面１２４ａは、突出部１２４の内壁１２４ｂからベース部材１２０の内壁１２０ｂに向かうほど開口部が次第に大きくなるように傾斜形状に形成される。このため、図１８に示すように、突出部１２４と可変色フィルタ１６０の切欠部１６２ａとの間には隙間Ａ１が形成され、同様に、突出部１２４と可変色フィルタ１６０の切欠部１６２ｂとの間には隙間Ａ２が形成される。これにより、作業者等は、かかる隙間Ａ１及びＡ２に指を引っ掛けることで、可変色フィルタ１６０を撓ませることができるので、可変色フィルタ１６０をベース部材１２０から取り外すことができる。
【００８８】
このように、実施形態に係る照明装置１では、天井に埋め込み設置された状態であっても、外部から光源ユニット１００に可変色フィルタ１６０を容易に取り付けることができるとともに、光源ユニット１００から可変色フィルタ１６０を容易に取り外すことができる。
【００８９】
（実施形態の効果）
上述してきたように、実施形態に係る照明装置１によれば、回転リング２００が、内壁の対向する位置間を結ぶ回転軸により光源ユニット１００を回転可能に支持する支持部２２１ａ及び２２１ｂと、化粧枠３００の貫通孔３００ａと面一な内壁を形成し、貫通孔３００ａの縁３２０上を摺動することで光源ユニット１００と一体となって回動可能な第１環状部２６１と、第１環状部２６１の内径よりも大きい内径により形成され、化粧枠３００の外壁３０１の少なくとも一部を環囲する第２環状部２６２とを有する。これにより、実施形態に係る照明装置１によれば、照明装置１の内壁に突起部等の段差が形成されないので、光源ユニット１００により安定した照明を行うことができる。
【００９０】
また、実施形態に係る照明装置１によれば、固定金具４１１、４１２及び４１３の一端が化粧枠３００の外壁３０１に取り付けられ、他端が回転リング２００の第２環状部２６２を覆う。これにより、実施形態に係る照明装置１によれば、回転リング２００が化粧枠３００から外れることを抑制できるとともに、貫通孔３００ａの縁３２０上で回転リング２００を摺動可能に固定することができる。
【００９１】
また、実施形態に係る照明装置１によれば、回転リング２００が第２環状部２６２から化粧枠３００の外壁３０１に沿って突起した突起部２７０を有し、化粧枠３００が突起部２７０を係止するための係止部３５２を有する。これにより、実施形態に係る照明装置１によれば、回転リング２００が１回転以上摺動しないので、基板１４０と端子台とを接続する接続線がねじれたり放熱器１１０等に絡まったりすることを防止することができる。
【００９２】
また、実施形態に係る照明装置１によれば、光源ユニット１００が、外壁の対向する位置において支持部２２１ａ及び２２１ｂによりに支持される筒状のベース部材１２０を具備し、かかるベース部材１２０が、化粧枠３００の貫通孔３００ａに向かう方向に開口した下端開口部の縁に切欠部１２８ａ及び１２８ｂが形成される。これにより、実施形態に係る照明装置１によれば、光源ユニット１００の傾動操作及び回動操作を容易にすることができる。
【００９３】
（他の実施形態）
上記実施形態では、天井に埋め込み設置されるダウンライト型を例に挙げて説明したが、照明装置１は、天井に埋め込み設置されるタイプ以外にも、天井や壁の表面に取り付けられる直付け型の照明器具等にも適用することができる。
【００９４】
また、上記実施形態に係る照明装置１は、実施形態や各図に表記した全ての部材を具備することを要しない。例えば、照明装置１は、天板１１を有しなくてもよい。また、照明装置１は、３個の固定金具４１１、４１２及び４１３ではなく、２個の固定金具を具備してもよいし、４個以上の固定金具を具備してもよい。また、照明装置１は、金具取付け部３３２の上部だけでなく、金具取付け部３３１又は金具取付け部３３３の上部にも係止部３５２と同様の係止部を有してもよい。照明装置１は、係止部３５２のような係止部を複数具備することにより、回転リング２００の摺動範囲を半回転等に制御することができる。
【００９５】
また、上記実施形態に係る各部材の形状、原料及び材質は、実施形態や各図に表記した例に限られない。例えば、ベース部材１２０等は、円柱形上でなくてもよい。
【００９６】
また、上記実施形態では、固定ネジによって各部材を固設する例を示したが、照明装置１は、固定ネジ以外のピン等の固定部材によって各部材が固設されてもよい。
【００９７】
以上説明したとおり、上記実施形態によれば、回転可能な光源によって安定した照明を行うことができる。
【００９８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９９】
１  照明装置
１００  光源ユニット
１２０  ベース部材
１４０  基板
１５０  光学レンズ
１６０  可変色フィルタ
２００  回転リング
３００  化粧枠
【図１】
0005929519.tif 000002
【図２】
0005929519.tif 000003
【図３】
0005929519.tif 000004
【図４】
0005929519.tif 000005
【図５】
0005929519.tif 000006
【図６】
0005929519.tif 000007
【図７】
0005929519.tif 000008
【図８】
0005929519.tif 000009
【図９】
0005929519.tif 000010
【図１０】
0005929519.tif 000011
【図１１】
0005929519.tif 000012
【図１２】
0005929519.tif 000013
【図１３】
0005929519.tif 000014
【図１４】
0005929519.tif 000015
【図１５】
0005929519.tif 000016
【図１６】
0005929519.tif 000017
【図１７】
0005929519.tif 000018
【図１８】
0005929519.tif 000019